(57)【要約】【課題】  流し台Ａの任意位置に装着できると共に、給水ホースＤに外力が加わってもカラン装置が移動したり外れたりしないようにする。【解決手段】  固定部材１と、カラン部材２で構成され、固定部材１が、前方開口のコ状凹部を形成すると共に、前記凹部下方に位置する底面板部に挟圧固定ネジを螺装してクランプ型の固定部１１と固定部背面に設けたカラン保持部１２とを備えてなり、カラン部材２が、先方から放水部２１、水栓部２２及び給水ホース連結部２３を順次連設すると共に、カラン保持部１２に給水ホース連結部２４の上端部を固定してなり、流し台Ａの外周突出縁部（外縁部）Ｂが凹部内に位置するようにして、挟圧固定用ネジを緊締することで、カラン部材が装着されている固定部材を流し台外縁部に固定し、給水ホース連結部２４に適宜な給水ホースＤを連結することで、当該流し台の所望位置にカラン装置を装備させる。【選択図】図２
0003106169.tif 000002
【実用新案登録請求の範囲】
【請求項１】
前方開口のコ状凹部を形成すると共に、前記凹部下方に位置する底面板部に挟圧固定ネジを螺装してクランプ型の固定部と固定部背面に設けたカラン保持部とを備えた固定部材と、先方から放水部、水栓部及び給水ホース連結部を順次連設すると共に、カラン保持部に給水ホース連結部の上端部を固定してなるカラン部材とで構成したことを特徴とするカラン装置。
【請求項２】
コ状凹部上方に位置する上面板部適宜位置に、開口面に平行な２列の横長孔を穿設し、前記横長孔に嵌合可能で且つ嵌合装着時に一方が凹部内に突出し他方が非突出となる下駄状のストッパー部材を付属させてなる請求項１記載のカラン装置。
【請求項３】
凹部下方に位置する底面板部に、挟圧固定ネジの前方に抜け止め用ネジを螺装してなる請求項１又は２記載のカラン装置。
【請求項４】
抜け止め用ネジの螺合用螺孔を前後複数設けてなる請求項３記載のカラン装置。
【請求項５】
コ状凹部内に配置されると共に、底面部に挟圧固定ネジ及び抜け止め用ネジの先端が嵌合する凹部を設けてなる介在部材を付属させてなる請求項１乃至４記載のいずれかのカラン装置。
【請求項６】
給水ホース連結部が所定規格の管状で、且つ外周面にネジを刻設してなる請求項１乃至５記載のいずれかのカラン装置。
【考案の詳細な説明】
【技術分野】
【０００１】
本考案は、簡易流し台や屋外流し台等に装着することのできるカラン装置に関するものである。
【背景技術】
【０００２】
流し台等に装着するカラン装置（水栓装置）は、流し台の周面部に貫通孔を設けて、立設したり（特許文献１）、流し台設置の壁面に装着したり（特許文献２）、底面に磁石を装備して、流し台の周縁部に起立させて設けている（特許文献３）。
【０００３】
【特許文献１】特開平６−２６４４７８号公報。
【特許文献２】特開平８−１０９６６１号公報。
【特許文献３】実開平７−８４６３号公報。
【考案の開示】
【考案が解決しようとする課題】
【０００４】
流し台の周面部や壁面部に貫通孔を穿設してカラン装置を装着する場合には、貫通孔の穿設作業が必要であり、装着作業全体が面倒であると共に、装着位置が固定されてしまい、流し台の位置を変更する場合がある簡易流し台や移動流し台のカラン装置装着構造としては必ずしも適切であるとはいえない。
【０００５】
また磁力でカラン装置を流し台周縁部に立設する手段は、流し台周縁部自体が磁性体で形成されていなければならなく、使用対象が限定される。また磁気吸着でカラン装置を固定するものであるが、装置本体に接続される給水ホースに外力が加わった場合に、カラン装置が容易に移動してしまう問題もある。
【０００６】
そこで本考案は、流し台の任意位置に装着でききると共に、給水ホースに外力が加わってもカラン装置が移動したり外れたりしない新規なカラン装置を提案したものである。
【課題を解決するための手段】
【０００７】
本考案に係るカラン装置は、固定部材と、カラン部材で構成され、固定部材が、前方開口のコ状凹部を形成すると共に、前記凹部下方に位置する底面板部に挟圧固定ネジを螺装してクランプ型の固定部と固定部背面に設けたカラン保持部とを備えてなり、カラン部材が、先方から放水部、水栓部及び給水ホース連結部を順次連設すると共に、カラン保持部に給水ホース連結部の上端部を固定してなることを特徴としたものである。
【０００８】
従って流し台の外周突出縁部（以下「外縁部」という）が凹部内に位置するようにして、挟圧固定用ネジを緊締することで、カラン部材が装着されている固定部材を流し台外縁部に固定し、給水ホース連結部に適宜な給水ホースを連結することで、当該流し台にカラン装置を装備させることができる。
【０００９】
また本考案（請求項２）は、コ状凹部上方に位置する上面板部適宜位置に、開口面に平行な２列の横長孔を穿設し、前記横長孔に嵌合可能で且つ嵌合装着時に一方が凹部内に突出し他方が非突出となる下駄状のストッパー部材を付属させてなるもので、ストッパー部材の装着で凹部内への突出部分を流し台の縁部内方に位置させると、固定部材の抜け止めとして作用する。
【００１０】
さらに本考案（請求項３）は、凹部下方に位置する底面板部に、挟圧固定ネジの前方に抜け止め用ネジを螺装してなるもので、流し台の外縁部が内側凹部を備えた形状であった場合、当該内側凹部に抜け止め用ネジ先端を突出させると、当該ネジは抜け止めとして作用する。
【００１１】
また本考案（請求項５）は、コ状凹部内に配置されると共に、底面部に挟圧固定ネジ及び抜け止め用ネジの先端が嵌合する凹部を設けてなる介在部材を付属させてなるもので、流し台の外縁部が薄く形成されている場合に、当該介在部材を外縁部下方（コ状凹部内）に位置させ、挟圧固定ネジによる緊締固定を行う。
【考案の効果】
【００１２】
本考案は上記構成を採用したものであるから、外周突出縁部（外縁部）を備えた流し台において、所望の箇所にカランを容易に装着固定することができたもので、且つ他所の外力が加わったとしても外れたりすることがなく使用できるものである。
【００１３】
また特に所定のストッパー部材を付属させたり（請求項２）、コ状凹部下方の底面板部に抜け止め用ネジを螺装することで（請求項３）、カラン装置装着後の離脱防止となり、更に
介在部材を付属させることで（請求項５）、外縁部が薄い流し台でも適切にカラン措置を装着できるものである。
【考案を実施するための最良の形態】
【００１４】
次に本考案の実施形態について説明する。実施形態に示したカラン装置は、固定部材１とカラン部材２と、ストッパー部材３と、介在部材４とで構成されている。
【００１５】
固定部材１は、樹脂一体成形で形成されたもので、クランプ型の固定部１１と、固定部の背部に設けたカラン保持部１２で構成される。
【００１６】
固定部１１は、前方開口のコ状凹部１３を、コ状凹部１３の下方に位置する底面板部１４と、上方に位置する上面板部１５と、奥面部１６とで形成するようにしたもので、底面板部１４には、挟圧固定ネジ１７及び挟圧固定ネジ１７の前方に配置される抜け止め用ネジ１８を螺装する螺孔１４１，１４２を設けたものである。尚抜け止め用ネジの螺孔１４２は、螺孔１４１からの前方距離が相違する複数を設けている。
【００１７】
上面板部１５の所定位置（後述する流し台Ａの外縁部の規格寸法に対応する）に、開口面に平行な２列の横長孔１５１を穿設すると共に、２個の横長孔１５１の中間にビス孔１５２を設けてなる。
【００１８】
またカラン保持部１２は、板状部分に給水管（給水ホース連結部を兼ねる）を貫通できる装着孔を設けてなるものである。
【００１９】
カラン部材２は、通常のカラン装置と同様に、先方から放水部２１、操作レバー２２を備えた水栓部２３、給水ホース連結部２４が順次連設されたもので、給水ホース連結部２４の上端を前記カラン保持部１２の装着孔に貫通装着し、水栓部２３の下端を座金とし、給水ホース連結部（給水管）２４に緊締ナットを螺合するなどして固定するものである。また給水ホース連結部（給水管）２４は、所定の規格（市販の給水ホースの連結部材が使用できる規格）の管体で、外周面に所定のネジ溝を刻設してなるものである。
【００２０】
ストッパー部材３は、上板部３１の下方に前記横長孔１５１に対応する脚部３２，３３を突設した下駄状のもので、特に短脚部３２は、横長孔１５１に嵌合装着した際に、コ状凹部１３に非突出状態となる大きさとし、長脚部３３は、横長孔１５１に嵌合装着した際に、コ状凹部１３に突出状態となる大きさとしたものである。また上板部３１には、ビス孔１５２に対応するビス孔３４を穿設し、ビス３５を付属させてなる。
【００２１】
介在部材４は、図６に例示する通り、コ状凹部１３内に配置されると共に、底面部に挟圧固定ネジ及び抜け止め用ネジの先端が嵌合する凹部４１を設けてなるものである。
【００２２】
而して前記カラン装置を流し台Ａに取り付けるには、コ状凹部１３内に流し台Ａの外縁部Ｂが位置し、外縁部Ｂを底面板部１４と上面板部１５とで挟み込むようにし、挟圧固定用ネジ１７を緊締することで、上面板部１５と挟圧固定用ネジ１７とで外縁部Ｂを強く挟圧し、装置が流し台Ａに固定装着されることになる。
【００２３】
そして給水ホース連結部２４に市販の接続アダプターＣを螺合装着し、給水ホースＤの先端に設けたコネクターＥをアダプターＣに装着することで、流し台Ａは、給水可能なカランを装備することになる。
【００２４】
特に図４、５に例示するとおり、ストッパー部材３を上面板部１５の横長孔１５１に、長脚部３３を選択的に嵌合装着し、コ状凹部１３内に突出させて、外縁部Ｂの内方に位置させると、装置全体の抜け止めとして作用する。
【００２５】
更に図４に例示するとおり、外縁部Ｂの形状が特に内側凹部（段差ａ）を備えた形状であれば、当該段差位置に合わせて、螺孔１４２を選択して抜け止め用ネジ１８を螺合してコ状凹部１３に突出させて、段差ａを利用した抜け止めを実現するものである。
【００２６】
また図５に例示するように、外縁部Ｂが板状に形成されているような場合には、前記介在部材４をコ状凹部１３内に配置し、介在部材４の底面を挟圧固定用ネジ１７の緊締で押し上げ、上面板部１５と介在部材４とで外縁部Ｂを強く挟圧し、装置を流し台Ａに固定装着するようにしてなる。更に挟圧固定用ネジ１７及び抜け止め用ネジ１８の先端が、介在部材４の底面の凹部４１に嵌合することによって、介在部材４と固定部材１との一体化が確実になされる。
【００２７】
尚本考案は、前記の装着例に限定されるものではなく、抜け止め用ネジの使用並びに装着位置の選択、また介在部材４の使用は、装着対象の流し台Ａの外縁部Ｂの形状に対応して選択されるものである。
【図面の簡単な説明】
【００２８】
【図１】本考案の実施形態の分解斜視図。
【図２】同使用状態の説明図（斜視図）。
【図３】同固定部材の底面図。
【図４】同装着状態の説明図（側面図）。
【図５】同別例図。
【図６】同介在部材の底面説明図。
【符号の説明】
【００２９】
１        固定部材
１１      固定部
１２      保持部
１３      コ状凹部
１４      底面板部
１４１，１４２  螺孔
１５      上面板部
１５１      横長孔
１５２      ビス孔
１６      奥面部
１７      挟圧固定用ネジ
１８      抜け止め用ネジ
２        カラン部材
２１      放水部
２２      操作レバー
２３      水栓部
２４      給水ホース連結部
３        ストッパー部材
３１      上板部
３２      短脚部
３３      長脚部
３４      ビス孔
３５      ビス
４        介在部材
４１      凹部
Ａ        流し台
Ｂ        外縁部
Ｃ        接続アダプター
Ｄ        給水ホース
Ｅ        コネクター
【図１】
0003106169.tif 000003
【図２】
0003106169.tif 000004
【図３】
0003106169.tif 000005
【図４】
0003106169.tif 000006
【図５】
0003106169.tif 000007
【図６】
0003106169.tif 000008